(57)【要約】【課題】バスバ等の端子の位置を適正に定めることができるバスバ保持構造、電気接続箱、及び、ワイヤハーネスを提供する。【解決手段】一対の第１上ガイド部３２０ｂ、３２０ｃは、挿入方向に沿って延在し、当該挿入方向に直交する幅方向において第１バスバ２１の両側に位置する。そして、一対の第１上ガイド部３２０ｂ、３２０ｃは、第１バスバ２１の厚み方向において第１支持面に対向し、第１支持面との間で第２接点部２１ｂの幅方向の両側を厚み方向から挟む。【選択図】図４
2020005328.tif 000002
【特許請求の範囲】
【請求項１】
導電性材料により板状に形成され、相手側コネクタの端子に接続される第１接点部及び前記第１接点部とは異なる第２接点部を有するバスバと、
前記第１接点部が露出し前記相手側コネクタが嵌合される嵌合空間部、及び、前記嵌合空間部とは壁部を介して区画され前記第２接点部を収容する収容空間部を有する筐体と、を備え、
前記筐体は、
前記収容空間部において前記壁部とは反対側に設けられ前記バスバが挿入される挿入口と、
前記壁部に設けられ前記挿入口に対向し前記第１接点部が貫通する貫通口と、
前記挿入口と前記貫通口との間に設けられ前記バスバが前記挿入口に挿入される挿入方向に沿って延在する支持面と、
前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、
を有することを特徴とするバスバ保持構造。
【請求項２】
前記第１ガイド部は、前記挿入口から前記貫通口に向けて前記挿入方向に沿って挿入される前記バスバの前記第２接点部を前記支持面との間で挟み、且つ、前記第１接点部が前記貫通口に貫通した状態で前記第２接点部を前記支持面との間で挟む請求項１に記載のバスバ保持構造。
【請求項３】
前記幅方向において互いに対向し前記第２接点部の前記幅方向の両側を前記幅方向から挟む一対の第２ガイド部を有する請求項１又は２に記載のバスバ保持構造。
【請求項４】
前記バスバは、ボルトが挿入される第１孔部を前記第２接点部に有し、
前記筐体は、前記支持面よりも窪んで形成され、前記第１接点部が前記貫通口に貫通した状態において前記バスバの前記第１孔部と前記厚み方向に対向しナットを格納する凹部を有し、
前記バスバは、第２孔部を有する相手側端子の前記第２孔部と当該バスバの前記第１孔部とが位置合わせされた状態で、前記厚み方向の前記凹部とは反対側から前記第１孔部及び前記第２孔部に挿入された前記ボルトが、前記凹部に格納された前記ナットに締結され、
前記ナットは、前記ボルトに締結される前の状態において、前記ナットの前記厚み方向の前記バスバ側の端部が前記支持面よりも前記凹部の底面側に位置する請求項１〜３のいずれか１項に記載のバスバ保持構造。
【請求項５】
前記バスバは、ボルトが挿入される第１孔部を前記第２接点部に有し、
前記筐体は、前記支持面よりも窪んで形成され、前記第１接点部が前記貫通口に貫通した状態において前記バスバの前記第１孔部と前記厚み方向に対向しナットを格納する凹部を有し、
前記一対の第１ガイド部は、前記ボルト及び前記ナットが非締結状態で前記厚み方向において前記バスバとの間に隙間が設けられ、
前記バスバは、前記第１孔部に挿入された前記ボルトと前記ナットとが締結状態で前記ナットと共にボルト側に引き上げられ、前記一対の第１ガイド部の内側に当接して位置決めされる請求項１〜４のいずれか１項に記載のバスバ保持構造。
【請求項６】
導電性材料により板状に形成され、相手側コネクタの端子に接続される第１接点部及び前記第１接点部とは異なる第２接点部を有するバスバと、
前記バスバの前記第２接点部に接続される電子部品と、
前記第１接点部が露出し前記相手側コネクタが嵌合される嵌合空間部、及び、前記嵌合空間部とは壁部を介して区画され前記第２接点部並びに前記電子部品を収容する収容空間部を有する筐体と、を備え、
前記筐体は、
前記収容空間部において前記壁部とは反対側に設けられ前記バスバが挿入される挿入口と、
前記壁部に設けられ前記挿入口に対向し前記第１接点部が貫通する貫通口と、
前記挿入口と前記貫通口との間に設けられ前記バスバが前記挿入口に挿入される挿入方向に沿って延在する支持面と、
前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、
を有することを特徴とする電気接続箱。
【請求項７】
導電性材料により形成された配索材と、
前記配索材に電気的に接続される電気接続箱と、を備え、
前記電気接続箱は、
導電性材料により板状に形成され、前記配索材に接続される第１接点部及び前記第１接点部とは異なる第２接点部を有するバスバと、
前記バスバの前記第２接点部に接続される電子部品と、
前記第１接点部が露出し相手側コネクタが嵌合される嵌合空間部、及び、前記嵌合空間部とは壁部を介して区画され前記第２接点部並びに前記電子部品を収容する収容空間部を有する筐体と、を備え、
前記筐体は、
前記収容空間部において前記壁部とは反対側に設けられ前記バスバが挿入される挿入口と、
前記壁部に設けられ前記挿入口に対向し前記第１接点部が貫通する貫通口と、
前記挿入口と前記貫通口との間に設けられ前記バスバが前記挿入口に挿入される挿入方向に沿って延在する支持面と、
前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、
を有することを特徴とするワイヤハーネス。
【発明の詳細な説明】
【技術分野】
【０００１】
本発明は、バスバ保持構造、電気接続箱、及び、ワイヤハーネスに関する。
【背景技術】
【０００２】
車両等に搭載される従来の電気接続箱として、例えば、特許文献１には、相手側コネクタが嵌合され相手側雌端子に接続される雄端子と、雄端子に過電流が流れた場合に溶断する溶断部と、雄端子の接点部を嵌合空間部に露出させた状態で当該雄端子を収容するケースとを備えるヒューズボックスが開示されている。
【先行技術文献】
【特許文献】
【０００３】
【特許文献１】特開２０１２−６０７８３号公報
【発明の概要】
【発明が解決しようとする課題】
【０００４】
ところで、上述の特許文献１に記載のヒューズボックスは、例えば、接点部を嵌合空間部に露出させるとき接点部をケースの貫通口に挿入するが、このとき、雄端子の接点部が貫通口周辺のケースに突き当たる場合がある。また、特許文献１に記載のヒューズボックスは、接点部を嵌合空間部に露出後、当該嵌合空間部において接点部の位置を適正な位置に保持することが望まれている。
【０００５】
そこで、本発明は、上記に鑑みてなされたものであって、バスバ等の端子の位置を適正に定めることができるバスバ保持構造、電気接続箱、及び、ワイヤハーネスを提供することを目的とする。
【課題を解決するための手段】
【０００６】
上述した課題を解決し、目的を達成するために、本発明に係るバスバ保持構造は、導電性材料により板状に形成され、相手側コネクタの端子に接続される第１接点部及び前記第１接点部とは異なる第２接点部を有するバスバと、前記第１接点部が露出し前記相手側コネクタが嵌合される嵌合空間部、及び、前記嵌合空間部とは壁部を介して区画され前記第２接点部を収容する収容空間部を有する筐体と、を備え、前記筐体は、前記収容空間部において前記壁部とは反対側に設けられ前記バスバが挿入される挿入口と、前記壁部に設けられ前記挿入口に対向し前記第１接点部が貫通する貫通口と、前記挿入口と前記貫通口との間に設けられ前記バスバが前記挿入口に挿入される挿入方向に沿って延在する支持面と、前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、を有することを特徴とする。
【０００７】
また、上記バスバ保持構造において、前記第１ガイド部は、前記挿入口から前記貫通口に向けて前記挿入方向に沿って挿入される前記バスバの前記第２接点部を前記支持面との間で挟み、且つ、前記第１接点部が前記貫通口に貫通した状態で前記第２接点部を前記支持面との間で挟むことが好ましい。
【０００８】
また、上記バスバ保持構造において、前記幅方向において互いに対向し前記第２接点部の前記幅方向の両側を前記幅方向から挟む一対の第２ガイド部を有することが好ましい。
【０００９】
また、上記バスバ保持構造において、前記バスバは、ボルトが挿入される第１孔部を前記第２接点部に有し、前記筐体は、前記支持面よりも窪んで形成され、前記第１接点部が前記貫通口に貫通した状態において前記バスバの前記第１孔部と前記厚み方向に対向しナットを格納する凹部を有し、前記バスバは、第２孔部を有する相手側端子の前記第２孔部と当該バスバの前記第１孔部とが位置合わせされた状態で、前記厚み方向の前記凹部とは反対側から前記第１孔部及び前記第２孔部に挿入された前記ボルトが、前記凹部に格納された前記ナットに締結され、前記ナットは、前記ボルトに締結される前の状態において、前記ナットの前記厚み方向の前記バスバ側の端部が前記支持面よりも前記凹部の底面側に位置することが好ましい。
【００１０】
また、上記バスバ保持構造において、前記バスバは、ボルトが挿入される第１孔部を前記第２接点部に有し、前記筐体は、前記支持面よりも窪んで形成され、前記第１接点部が前記貫通口に貫通した状態において前記バスバの前記第１孔部と前記厚み方向に対向しナットを格納する凹部を有し、前記一対の第１ガイド部は、前記ボルト及び前記ナットが非締結状態で前記厚み方向において前記バスバとの間に隙間が設けられ、前記バスバは、前記第１孔部に挿入された前記ボルトと前記ナットとが締結状態で前記ナットと共にボルト側に引き上げられ、前記一対の第１ガイド部の内側に当接して位置決めされることが好ましい。
【００１１】
また、本発明に係る電気接続箱は、導電性材料により板状に形成され、相手側コネクタの端子に接続される第１接点部及び前記第１接点部とは異なる第２接点部を有するバスバと、前記バスバの前記第２接点部に接続される電子部品と、前記第１接点部が露出し前記相手側コネクタが嵌合される嵌合空間部、及び、前記嵌合空間部とは壁部を介して区画され前記第２接点部並びに前記電子部品を収容する収容空間部を有する筐体と、を備え、前記筐体は、前記収容空間部において前記壁部とは反対側に設けられ前記バスバが挿入される挿入口と、前記壁部に設けられ前記挿入口に対向し前記第１接点部が貫通する貫通口と、前記挿入口と前記貫通口との間に設けられ前記バスバが前記挿入口に挿入される挿入方向に沿って延在する支持面と、前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、を有することを特徴とする。
【００１２】
また、本発明に係るワイヤハーネスは、導電性材料により形成された配索材と、前記配索材に電気的に接続される電気接続箱と、を備え、前記電気接続箱は、導電性材料により板状に形成され、前記配索材に接続される第１接点部及び前記第１接点部とは異なる第２接点部を有するバスバと、前記バスバの前記第２接点部に接続される電子部品と、前記第１接点部が露出し相手側コネクタが嵌合される嵌合空間部、及び、前記嵌合空間部とは壁部を介して区画され前記第２接点部並びに前記電子部品を収容する収容空間部を有する筐体と、を備え、前記筐体は、前記収容空間部において前記壁部とは反対側に設けられ前記バスバが挿入される挿入口と、前記壁部に設けられ前記挿入口に対向し前記第１接点部が貫通する貫通口と、前記挿入口と前記貫通口との間に設けられ前記バスバが前記挿入口に挿入される挿入方向に沿って延在する支持面と、前記挿入方向に沿って延在し当該挿入方向に直交する幅方向において前記バスバの両側に位置し前記バスバの厚み方向において前記支持面に対向し前記支持面との間で前記第２接点部の前記幅方向の両側を前記厚み方向から挟む一対の第１ガイド部と、を有することを特徴とする。
【発明の効果】
【００１３】
本発明に係るバスバ保持構造、電気接続箱、及び、ワイヤハーネスは、一対の第１ガイド部と支持面との間でバスバの第２接点部の幅方向の両側を厚み方向から挟むことで、バスバ等の端子の位置を適正に定めることができる。
【図面の簡単な説明】
【００１４】
【図１】図１は、実施形態に係る電気接続箱の構成例を示す斜視図である。
【図２】図２は、実施形態に係る電気接続箱の構成例を示す分解斜視図である。
【図３】図３は、図１のＸ−Ｘを切断面とする断面図である。
【図４】図４は、実施形態に係る電気接続箱の構成例を示す要部の平面図である。
【図５】図５は、実施形態に係る第１及び第２ガイド部材の構成例を示す斜視図である。
【図６】図６は、実施形態に係る第１及び第２ガイド部材の機能例を示す斜視図である。
【図７】図７は、実施形態の変形例に係るバスバ保持構造の構成例を示す断面図である。
【図８】図８は、実施形態の変形例に係るバスバ保持構造の構成例を示す断面図である。
【発明を実施するための形態】
【００１５】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１６】
〔実施形態〕
実施形態に係るバスバ保持構造１、電気接続箱２、及び、ワイヤハーネス３について説明する。バスバ保持構造１は、電気接続箱２に組み込まれる構造である。電気接続箱２は、自動車等の車両に搭載され、ワイヤハーネス３に組み込まれるものである。ワイヤハーネス３は、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネス３は、導電性の配索材Ｗと、配索材Ｗに電気的に接続される電気接続箱２とを備える。配索材Ｗは、例えば、電線、電線束等によって構成される。電線は、複数の導電性の金属素線からなる導体部（芯線）の外側を絶縁性の被覆部によって覆ったものである。電線束は、当該電線を束ねたものである。ワイヤハーネス３は、複数の配索材Ｗを束ねて集約すると共に、束ねられた配索材Ｗの端末に設けられた相手側コネクタ１００を介して電気接続箱２が電気的に接続される。ワイヤハーネス３は、この他、さらに、グロメット、プロテクタ、固定具等を含んで構成されてもよい。
【００１７】
電気接続箱２は、ヒューズ１０等の電装品を集約して内部に収容するものである。電気接続箱２は、例えば、車両に設けられた電池パック等の負荷部に組み付けられ、負荷部に過電流が流れるとヒューズ１０が溶断することにより負荷部を保護する。電気接続箱２は、ヒューズボックスなどとも呼ばれる場合がある。
【００１８】
ここで、以下の説明では、後述する第１及び第２バスバ２１、２２を挿入する方向を挿入方向と称する。挿入方向は、第１及び第２バスバ２１、２２の第１接点部２１ａ、２２ａ側を挿入方向の前側と称し、第１及び第２バスバ２１、２２の第２接点部２１ｂ、２２ｂ側を挿入方向の後側と称する。第１及び第２バスバ２１、２２の幅に沿った方向を幅方向と称する。第１及び第２バスバ２１、２２の厚みに沿った方向を厚み方向又は高さ方向と称する。高さ方向は、アッパカバー３１側を高さ方向の上側と称し、ロアカバー３２側を高さ方向の下側と称する。挿入方向、幅方向、及び、厚み方向（高さ方向）は、互いに略直交する。
【００１９】
電気接続箱２は、図１、図２に示すように、電子部品としてのヒューズ１０と、第１及び第２バスバ２１、２２（以下、各バスバ２１、２２ともいう。）と、筐体３０とを備える。ヒューズ１０は、過電流が流れた場合に溶断するものである。ヒューズ１０は、筐体３０に収容され、図示しない可溶体と、相手側端子としてのヒューズ端子１１、１２と、可溶体収容部１３とを備える。可溶体は、例えば、幅を狭めた帯状の導電部に低融点金属チップを溶着させた構成で、過電流が流れたときに溶断し該当する電流経路を遮断する。ここで、可溶体の過電流とは、例えば、予め設定された定格以上の電流である。つまり、可溶体は、予め設定された定格以上の電流が流れたときに溶断する。可溶体の定格電流は、保護する回路の電流に合わせてそれぞれ決められる。なお、可溶体は、上述の例に限定されず、例えば、低融点金属チップを溶着させなくてもよい。ヒューズ端子１１、１２は、可溶体と各バスバ２１、２２とを接続する部分である。ヒューズ端子１１は、可溶体の一方側に設けられ第１バスバ２１に接続される。ヒューズ端子１２は、可溶体の他方側に設けられ第２バスバ２２に接続される。可溶体収容部１３は、可溶体を収容するものである。可溶体収容部１３は、幅方向の両端部が閉塞された筒状に形成され、内部に可溶体を収容し、両端部から外側にヒューズ端子１１、１２を露出させる。
【００２０】
各バスバ２１、２２は、金属等の導電性材料により板状に形成される。各バスバ２１、２２は、例えば、金属板に対するプレス加工等によって形成される。第１バスバ２１と第２バスバ２２とは、略同等の形状に形成される。第１バスバ２１は、相手側コネクタ１００に接続される第１接点部２１ａと、第１接点部２１ａとは異なる第２接点部２１ｂとを有する。第１接点部２１ａは、例えば、厚み方向から視た場合、略矩形状に形成されている。第１接点部２１ａは、後述する筐体３０の第１嵌合空間部３３に露出し、相手側コネクタ１００の正極端子又は負極端子の一方に接続される。第２接点部２１ｂは、第１接点部２１ａの挿入方向の後側に設けられる。第２接点部２１ｂは、例えば、厚み方向から視た場合、略矩形状に形成されている。第２接点部２１ｂは、第１接点部２１ａよりも幅方向の長さが長く形成され、第１接点部２１ａよりも幅方向の両側に突出している。第２接点部２１ｂは、後述する第１ボルト５１が挿入される第１孔部２１ｃを有する。また、第２接点部２１ｂは、後述する第１係止爪３２ｙが係止される切欠き部２１ｄを有する。切欠き部２１ｄは、第２接点部２１ｂの挿入方向の後側が一部切り欠かれて形成される。
【００２１】
第２バスバ２２は、相手側コネクタ１００に接続される第１接点部２２ａと、第１接点部２２ａとは異なる第２接点部２２ｂとを有する。第１接点部２２ａは、例えば、厚み方向から視た場合、略矩形状に形成されている。第１接点部２２ａは、後述する筐体３０の第２嵌合空間部３４に露出し、相手側コネクタ１００の正極端子又は負極端子の他方に接続される。第２接点部２２ｂは、第１接点部２２ａの挿入方向の後側に設けられる。第２接点部２２ｂは、例えば、厚み方向から視た場合、略矩形状に形成されている。第２接点部２２ｂは、第１接点部２２ａよりも幅方向の長さが長く形成され、第１接点部２２ａよりも幅方向の両側に突出している。第２接点部２２ｂは、後述する第２ボルト５２が挿入される第１孔部２２ｃを有する。また、第２接点部２２ｂは、後述する第２係止爪３２ｚが係止される切欠き部２２ｄを有する。切欠き部２２ｄは、第２接点部２２ｂの挿入方向の後側が一部切り欠かれて形成される。
【００２２】
筐体３０は、ヒューズ１０及び各バスバ２１、２２を収容するケースである。筐体３０は、例えば、絶縁性の合成樹脂で形成される。筐体３０は、アッパカバー３１と、有底の筒状の部材であるロアカバー３２とを備える。アッパカバー３１は、ロアカバー３２の高さ方向の上側の開口部３２０ｒを閉塞する蓋状の部材である。アッパカバー３１は、上面カバー３１ａと、挿入口カバー３１ｂと、係止部３１ｃとを備える。上面カバー３１ａは、板状に形成され、高さ方向の上側からロアカバー３２の開口部３２０ｒを覆う部分である。挿入口カバー３１ｂは、後述する第１及び第２挿入口３２ｍ、３２ｎを閉塞する部分である。挿入口カバー３１ｂは、上面カバー３１ａの挿入方向の後側に幅方向に並んで設けられる。挿入口カバー３１ｂは、板状に形成され、上面カバー３１ａから高さ方向の下側に延在する。係止部３１ｃは、アッパカバー本体をロアカバー３２に係止する部分である。係止部３１ｃは、爪部３１ｄを有し、ロアカバー３２に当該爪部３１ｄを引っ掛けることによりアッパカバー本体をロアカバー３２に係止する。
【００２３】
ロアカバー３２は、相手側コネクタ１００が嵌合される第１及び第２嵌合部３２ｂ、３２ｃと、ヒューズ１０及び各バスバ２１、２２の第２接点部２１ｂ、２２ｂを収容する収容室３２ｄとを備える。ここで、収容室３２ｄは、略箱形状に形成され、挿入方向の前側に設けられた壁部としての前側壁部３２ｅと、挿入方向の後側に設けられた後側壁部３２ｆと、幅方向の一方側に設けられた右側壁部３２ｇと、幅方向の他方側に設けられた左側壁部３２ｈとを有する。
【００２４】
第１嵌合部３２ｂは、矩形筒状の第１筒部３２ｊと、第１筒部３２ｊの挿入方向の後側を閉塞する前側壁部３２ｅとにより構成される。第１筒部３２ｊは、前側壁部３２ｅからロアカバー３２の挿入方向の前側に突出して形成され、挿入方向の前側が開口される。第１嵌合部３２ｂは、第１筒部３２ｊと前側壁部３２ｅとにより区画された第１嵌合空間部３３を有する（図５参照）。第１嵌合空間部３３は、第１バスバ２１の第１接点部２１ａが露出し、相手側コネクタ１００が挿入方向の前側から嵌合される。第２嵌合部３２ｃは、第１嵌合部３２ｂと同等に形成され、第１嵌合部３２ｂと幅方向に並んで配置される。第２嵌合部３２ｃは、矩形筒状の第２筒部３２ｋと、第２筒部３２ｋの挿入方向の後側を閉塞する前側壁部３２ｅとにより構成される。第２筒部３２ｋは、前側壁部３２ｅからロアカバー３２の挿入方向の前側に突出して形成され、挿入方向の前側が開口される。第２嵌合部３２ｃは、第２筒部３２ｋと前側壁部３２ｅとにより区画された第２嵌合空間部３４を有する（図５参照）。第２嵌合空間部３４は、第２バスバ２２の第１接点部２２ａが露出し、相手側コネクタ１００が挿入方向の前側から嵌合される。
【００２５】
収容室３２ｄは、ヒューズ１０及び各バスバ２１、２２の第２接点部２１ｂ、２２ｂを収容するものである。収容室３２ｄは、第１及び第２挿入口３２ｍ、３２ｎが後側壁部３２ｆに設けられる。第１挿入口３２ｍは、挿入方向に貫通した矩形状の開口部であり、第１バスバ２１の第２接点部２１ｂの挿入方向から視た場合における外形と略同等のサイズに開口される。第１挿入口３２ｍは、第１バスバ２１の第１接点部２１ａが挿入方向の前側を向いた状態で、当該第１バスバ２１が挿入される。第２挿入口３２ｎは、第１挿入口３２ｍと同等に形成され、幅方向に沿って第１挿入口３２ｍと並んで配置される。第２挿入口３２ｎは、挿入方向に貫通した矩形状の開口部であり、第２バスバ２２の第２接点部２２ｂの挿入方向から視た場合における外形と略同等のサイズに開口される。第２挿入口３２ｎは、第２バスバ２２の第１接点部２２ａが挿入方向の前側を向いた状態で、当該第２バスバ２２が挿入される。
【００２６】
収容室３２ｄは、第１及び第２貫通口３２ｐ、３２ｑが前側壁部３２ｅに設けられる。第１貫通口３２ｐと第２貫通口３２ｑとは、幅方向に並んで位置し、第１貫通口３２ｐは、挿入方向において第１挿入口３２ｍに対向し、第２貫通口３２ｑは、挿入方向において第２挿入口３２ｎに対向する。第１貫通口３２ｐは、挿入方向に貫通した矩形状の開口部であり、第１バスバ２１の第１接点部２１ａの挿入方向から視た場合における外形と略同等のサイズに開口される。第１貫通口３２ｐは、第１バスバ２１の第１接点部２１ａが貫通する。第２貫通口３２ｑは、挿入方向に貫通した矩形状の開口部であり、第２バスバ２２の第１接点部２２ａの挿入方向から視た場合における外形と略同等のサイズに開口される。第２貫通口３２ｑは、第２バスバ２２の第１接点部２２ａが貫通する。
【００２７】
収容室３２ｄは、第１及び第２嵌合空間部３３、３４とは前側壁部３２ｅを介して区画された収容空間部３５を有する。収容室３２ｄは、収容空間部３５に、ヒューズ１０を保持するヒューズ保持部３２ｒと、第１バスバ２１の第２接点部２１ｂを支持する第１支持面３２ｓと、第２バスバ２２の第２接点部２２ｂを支持する第２支持面３２ｔとを有する。収容室３２ｄは、さらに、第１バスバ２１の第２接点部２１ｂを案内する第１ガイド部材３２ｕと、第２バスバ２２の第２接点部２２ｂを案内する第２ガイド部材３２ｖと、第１及び第２凹部３２ｗ、３２ｘと、第１及び第２係止爪３２ｙ、３２ｚとを有する。
【００２８】
ヒューズ保持部３２ｒは、収容空間部３５の略中央部に設けられ、ヒューズ１０の可溶体収容部１３の外周曲面を保持する湾曲保持部３２０ａを有する。
【００２９】
第１支持面３２ｓは、第１バスバ２１の第２接点部２１ｂを支持する平面状の面部であり、当該面部が高さ方向に直交する。第１支持面３２ｓは、第１挿入口３２ｍと第１貫通口３２ｐとの間に設けられ、第１バスバ２１が第１挿入口３２ｍに挿入される挿入方向に沿って延在する。第１支持面３２ｓは、第１挿入口３２ｍの高さ方向の下側の部分と面一に形成される。つまり、第１支持面３２ｓは、挿入方向の第１挿入口３２ｍ側から視た場合、第１挿入口３２ｍの高さ方向の下側の部分と当該第１支持面３２ｓとが同一平面上に位置する。この構成により、第１支持面３２ｓは、第１挿入口３２ｍから挿入された第１バスバ２１を円滑に支持することができる。第２支持面３２ｔは、第１支持面３２ｓと同等に形成される。第２支持面３２ｔは、第２挿入口３２ｎの高さ方向の下側の部分と面一に形成される。すなわち、第２支持面３２ｔは、挿入方向の第２挿入口３２ｎ側から視た場合、第２挿入口３２ｎの高さ方向の下側の部分と当該第２支持面３２ｔとが同一平面上に位置する。この構成により、第２支持面３２ｔは、第２挿入口３２ｎから挿入された第２バスバ２２を円滑に支持することができる。
【００３０】
第１ガイド部材３２ｕは、一対の第１ガイド部としての一対の第１上ガイド部３２０ｂ、３２０ｃと、一対の第２ガイド部としての一対の第１横ガイド部３２０ｄ、３２０ｅとを有する（図３参照）。各第１上ガイド部３２０ｂ、３２０ｃは、厚み方向から第１バスバ２１を案内する部分である。各第１上ガイド部３２０ｂ、３２０ｃは、長尺且つ板状に形成され、挿入方向に沿って延在し、厚み方向において第１支持面３２ｓに対向する。各第１上ガイド部３２０ｂ、３２０ｃは、第１支持面３２ｓとの厚み方向における間隔が第１バスバ２１の厚みと同等である。各第１上ガイド部３２０ｂ、３２０ｃは、幅方向において第１バスバ２１の第２接点部２１ｂの両側に位置する。一方側の第１上ガイド部３２０ｂは、幅方向において第２接点部２１ｂのヒューズ１０とは反対側に位置し、他方側の第１上ガイド部３２０ｃは、幅方向において第２接点部２１ｂのヒューズ１０側に位置する。第１上ガイド部３２０ｂは、第１バスバ２１の第２接点部２１ｂの挿入方向の長さと略同等の長さで挿入方向に沿って形成される。第１上ガイド部３２０ｂは、第１支持面３２ｓとの間で第２接点部２１ｂの幅方向の一方側を厚み方向から挟む。他方側の第１上ガイド部３２０ｃは、第１上ガイド部３２０ｂよりも短い長さで挿入方向に沿って形成される。第１上ガイド部３２０ｃは、幅方向において第２接点部２１ｂのヒューズ１０側に位置する関係で、ヒューズ端子１１が第１上ガイド部３２０ｃの進路を遮るように第１バスバ２１側に延在するため、第１上ガイド部３２０ｂよりも短く形成される。このように構成された第１上ガイド部３２０ｂ、３２０ｃは、第１支持面３２ｓとの間で第２接点部２１ｂの幅方向の両側を厚み方向から挟む。つまり、各第１上ガイド部３２０ｂ、３２０ｃは、第１挿入口３２ｍから第１貫通口３２ｐに向けて挿入方向に沿って挿入される第１バスバ２１の第２接点部２１ｂを第１支持面３２ｓとの間で挟み、且つ、第１バスバ２１の第１接点部２１ａが第１貫通口３２ｐに貫通した状態で第１バスバ２１の第２接点部２１ｂを第１支持面３２ｓとの間で挟む。
【００３１】
一対の第１横ガイド部３２０ｄ、３２０ｅは、幅方向から第１バスバ２１を案内する部分である。各第１横ガイド部３２０ｄ、３２０ｅは、例えば、第１支持面３２ｓから高さ方向に立設した立設壁部である。各第１横ガイド部３２０ｄ、３２０ｅは、挿入方向に沿って延在し、幅方向において互いに対向する。各第１横ガイド部３２０ｄ、３２０ｅは、互いの幅方向における間隔が第１バスバ２１の第２接点部２１ｂの幅方向の間隔と同等である。各第１横ガイド部３２０ｄ、３２０ｅは、幅方向において第１バスバ２１の第２接点部２１ｂの両側に位置する。一方側の第１横ガイド部３２０ｄは、幅方向において第２接点部２１ｂのヒューズ１０とは反対側に位置し、他方側の第１横ガイド部３２０ｅは、幅方向において第２接点部２１ｂのヒューズ１０側に位置する。第１横ガイド部３２０ｄは、第１バスバ２１の第２接点部２１ｂの挿入方向の長さと略同等の長さで挿入方向に沿って形成される。つまり、第１横ガイド部３２０ｄは、第１上ガイド部３２０ｂの挿入方向の長さと同等の長さである。第１横ガイド部３２０ｅは、第１横ガイド部３２０ｄよりも短い長さで挿入方向に沿って形成される。第１横ガイド部３２０ｅは、幅方向において第２接点部２１ｂのヒューズ１０側に位置する関係で、ヒューズ端子１１が第１横ガイド部３２０ｅの進路を遮るように第１バスバ２１側に延在するため、第１横ガイド部３２０ｄよりも短く形成される。つまり、第１横ガイド部３２０ｅは、第１上ガイド部３２０ｃの挿入方向の長さと同等の長さである。このように構成された第１横ガイド部３２０ｄ、３２０ｅは、第２接点部２１ｂの幅方向の両側を幅方向から挟む。つまり、第１横ガイド部３２０ｄ、３２０ｅは、第１挿入口３２ｍから第１貫通口３２ｐに向けて挿入方向に沿って挿入される第１バスバ２１の第２接点部２１ｂの幅方向の両側を挟み、且つ、第１バスバ２１の第１接点部２１ａが第１貫通口３２ｐに貫通した状態で第１バスバ２１の第２接点部２１ｂの幅方向の両側を挟む。
【００３２】
第２ガイド部材３２ｖは、上述した第１ガイド部材３２ｕと同等に形成される。第２ガイド部材３２ｖは、一対の第１ガイド部としての一対の第２上ガイド部３２０ｆ、３２０ｇと、一対の第２ガイド部としての一対の第２横ガイド部３２０ｈ、３２０ｉとを有する（図３参照）。各第２上ガイド部３２０ｆ、３２０ｇは、厚み方向から第２バスバ２２を案内する部分である。各第２上ガイド部３２０ｆ、３２０ｇは、長尺且つ板状に形成され、挿入方向に沿って延在し、厚み方向において第２支持面３２ｔに対向する。各第２上ガイド部３２０ｆ、３２０ｇは、第２支持面３２ｔとの厚み方向における間隔が第２バスバ２２の厚みと同等である。各第２上ガイド部３２０ｆ、３２０ｇは、幅方向において第２バスバ２２の第２接点部２２ｂの両側に位置する。一方側の第２上ガイド部３２０ｆは、幅方向において第２接点部２２ｂのヒューズ１０とは反対側に位置し、他方側の第２上ガイド部３２０ｇは、幅方向において第２接点部２２ｂのヒューズ１０側に位置する。第２上ガイド部３２０ｆは、第２バスバ２２の第２接点部２２ｂの挿入方向の長さと略同等の長さで挿入方向に沿って形成される。第２上ガイド部３２０ｆは、第２支持面３２ｔとの間で第２接点部２２ｂの幅方向の一方側を厚み方向から挟む。他方側の第２上ガイド部３２０ｇは、第２上ガイド部３２０ｆよりも短い長さで挿入方向に沿って形成される。第２上ガイド部３２０ｇは、幅方向において第２接点部２２ｂのヒューズ１０側に位置する関係で、ヒューズ端子１２が第２上ガイド部３２０ｇの進路を遮るように第２バスバ２２側に延在するため、第２上ガイド部３２０ｆよりも短く形成される。このように構成された第２上ガイド部３２０ｆ、３２０ｇは、第２支持面３２ｔとの間で第２接点部２２ｂの幅方向の両側を厚み方向から挟む。つまり、各第２上ガイド部３２０ｆ、３２０ｇは、第２挿入口３２ｎから第２貫通口３２ｑに向けて挿入方向に沿って挿入される第２バスバ２２の第２接点部２２ｂを第２支持面３２ｔとの間で挟み、且つ、第２バスバ２２の第１接点部２２ａが第２貫通口３２ｑに貫通した状態で第２バスバ２２の第２接点部２２ｂを第２支持面３２ｔとの間で挟む。
【００３３】
一対の第２横ガイド部３２０ｈ、３２０ｉは、幅方向から第２バスバ２２を案内する部分である。各第２横ガイド部３２０ｈ、３２０ｉは、第２支持面３２ｔから高さ方向に立設した立設壁部である。各第２横ガイド部３２０ｈ、３２０ｉは、挿入方向に沿って延在し、幅方向において互いに対向する。各第２横ガイド部３２０ｈ、３２０ｉは、互いの幅方向における間隔が第２バスバ２２の第２接点部２２ｂの幅方向の間隔と同等である。各第２横ガイド部３２０ｈ、３２０ｉは、幅方向において第２バスバ２２の第２接点部２２ｂの両側に位置する。一方側の第２横ガイド部３２０ｈは、幅方向において第２接点部２２ｂのヒューズ１０とは反対側に位置し、他方側の第２横ガイド部３２０ｉは、幅方向において第２接点部２２ｂのヒューズ１０側に位置する。第２横ガイド部３２０ｈは、第２バスバ２２の第２接点部２２ｂの挿入方向の長さと略同等の長さで挿入方向に沿って形成される。つまり、第２横ガイド部３２０ｈは、第２上ガイド部３２０ｆの挿入方向の長さと同等の長さである。第２横ガイド部３２０ｉは、第２横ガイド部３２０ｈよりも短い長さで挿入方向に沿って形成される。第２横ガイド部３２０ｉは、幅方向において第２接点部２２ｂのヒューズ１０側に位置する関係で、ヒューズ端子１２が第２横ガイド部３２０ｉの進路を遮るように第２バスバ２２側に延在するため、第２横ガイド部３２０ｈよりも短く形成される。つまり、第２横ガイド部３２０ｉは、第２上ガイド部３２０ｇの挿入方向の長さと同等の長さである。このように構成された第２横ガイド部３２０ｈ、３２０ｉは、第２接点部２２ｂの幅方向の両側を幅方向から挟む。つまり、第２横ガイド部３２０ｈ、３２０ｉは、第２挿入口３２ｎから第２貫通口３２ｑに向けて挿入方向に沿って挿入される第２バスバ２２の第２接点部２２ｂの幅方向の両側を挟み、且つ、第２バスバ２２の第１接点部２２ａが第２貫通口３２ｑに貫通した状態で第２バスバ２２の第２接点部２２ｂの幅方向の両側を挟む。
【００３４】
第１凹部３２ｗは、第１バスバ２１とヒューズ端子１１とを締結するための第１ナット４１を格納する部分である。ここで、第１ナット４１は、高さ方向から視た場合、例えば、矩形状に形成される。第１凹部３２ｗは、第１接点部２１ａが第１貫通口３２ｐに貫通した状態における第１バスバ２１の第１孔部２１ｃと厚み方向に対向する位置に設けられる。第１凹部３２ｗは、第１支持面３２ｓよりも窪んで形成される。第１凹部３２ｗは、高さ方向から視た形状が第１ナット４１の外形と同等に形成される。これは、第１凹部３２ｗに回転不可に格納された状態の第１ナット４１に対して第１ボルト５１を締結するためである。つまり、第１ナット４１は、第１凹部３２ｗに回転不可に格納された状態で第１ボルト５１がネジ締めされ、第１ボルト５１の締め付け方向の回転と共に当該第１ナット４１が高さ方向の上側に上昇する。この結果、第１ボルト５１と第１ナット４１により第１バスバ２１とヒューズ端子１１とが締結される。第１凹部３２ｗは、高さ方向の深さが第１ナット４１の厚み方向（軸方向）の高さよりも深いことが好ましい。つまり、第１ナット４１は、第１ボルト５１に締結される前の状態において、第１ナット４１の厚み方向の第１バスバ２１側の端部が第１支持面３２ｓよりも第１凹部３２ｗの底面側に位置することが好ましい。第１バスバ２１は、ヒューズ端子１１の第２孔部１４と当該第１バスバ２１の第１孔部２１ｃとが位置合わせされた状態で、厚み方向の第１凹部３２ｗとは反対側から第２孔部１４及び第１孔部２１ｃに挿入された第１ボルト５１が、第１凹部３２ｗに格納された第１ナット４１に締結されている。
【００３５】
第２凹部３２ｘは、第１凹部３２ｗと同等に形成される。第２凹部３２ｘは、第２バスバ２２とヒューズ端子１２とを締結するための第２ナット４２を格納する部分である。第２凹部３２ｘは、第１接点部２２ａが第２貫通口３２ｑに貫通した状態における第２バスバ２２の第１孔部２２ｃと厚み方向に対向する位置に設けられる。第２凹部３２ｘは、第２支持面３２ｔよりも窪んで形成される。第２凹部３２ｘは、高さ方向から視た形状が第２ナット４２の外形と同等に形成される。第２凹部３２ｘは、高さ方向の深さが第２ナット４２の厚み方向（軸方向）の高さよりも深いことが好ましい。つまり、第２ナット４２は、第２ボルト５２に締結される前の状態において、第２ナット４２の厚み方向の第２バスバ２２側の端部が第２支持面３２ｔよりも第２凹部３２ｘの底面側に位置することが好ましい。第２バスバ２２は、ヒューズ端子１２の第２孔部１５と当該第２バスバ２２の第１孔部２２ｃとが位置合わせされた状態で、厚み方向の第２凹部３２ｘとは反対側から第２孔部１５及び第１孔部２２ｃに挿入された第２ボルト５２が、第２凹部３２ｘに格納された第２ナット４２に締結されている。
【００３６】
第１係止爪３２ｙは、第１支持面３２ｓに設けられ、第１バスバ２１を係止する部分である。第１係止爪３２ｙは、第１係止爪３２ｙの両側に挿入方向に沿って形成された第１スリット３２０ｊにより高さ方向に可撓性を有して形成される。第１係止爪３２ｙは、高さ方向において第１支持面３２ｓよりも第１バスバ２１側に突出した第１突起３２０ｍが形成され、この第１突起３２０ｍが第１バスバ２１の第２接点部２１ｂの切欠き部２１ｄに係止することで、第１バスバ２１の第１接点部２１ａが第１貫通口３２ｐに貫通した状態で当該第１バスバ２１を係止する。第１係止爪３２ｙは、第１バスバ２１が第１挿入口３２ｍから第１貫通口３２ｐに向けて挿入される間、第１突起３２０ｍが第１バスバ２１の高さ方向の下側に当接して当該第１係止爪３２ｙが高さ方向の下側に撓む（図６参照）。そして、第１係止爪３２ｙは、第１バスバ２１の第１接点部２１ａが第１貫通口３２ｐに貫通した状態で、元の位置に復帰すると共に第１突起３２０ｍが第１バスバ２１の第２接点部２１ｂの切欠き部２１ｄに係止する。なお、収容室３２ｄは、第１支持面３２ｓの挿入方向の前側に第１バスバ２１の第２接点部２１ｂの挿入方向の前側が当接する第１係止壁部３２０ｐが設けられる（図６参照）。第１バスバ２１は、この第１係止壁部３２０ｐと第１係止爪３２ｙとにより挿入方向の移動が規制される。
【００３７】
第２係止爪３２ｚは、第１係止爪３２ｙと同等に形成される。第２係止爪３２ｚは、第２支持面３２ｔに設けられ、第２バスバ２２を係止する部分である。第２係止爪３２ｚは、第２係止爪３２ｚの両側に挿入方向に沿って形成された第２スリット３２０ｋにより高さ方向に可撓性を有して形成される。第２係止爪３２ｚは、高さ方向において第２支持面３２ｔよりも第２バスバ２２側に突出した第２突起３２０ｎが形成され、この第２突起３２０ｎが第２バスバ２２の第２接点部２２ｂの切欠き部２２ｄに係止することで、第２バスバ２２の第１接点部２２ａが第２貫通口３２ｑに貫通した状態で当該第２バスバ２２を係止する。第２係止爪３２ｚは、第２バスバ２２が第２挿入口３２ｎから第２貫通口３２ｑに向けて挿入される間、第２突起３２０ｎが第２バスバ２２の高さ方向の下側に当接して当該第２係止爪３２ｚが高さ方向の下側に撓む。そして、第２係止爪３２ｚは、第２バスバ２２の第１接点部２２ａが第２貫通口３２ｑに貫通した状態で、元の位置に復帰すると共に第２突起３２０ｎが第２バスバ２２の第２接点部２２ｂの切欠き部２２ｄに係止する。なお、収容室３２ｄは、第２支持面３２ｔの挿入方向の前側に第２バスバ２２の第２接点部２２ｂの挿入方向の前側が当接する第２係止壁部３２０ｑが設けられる。第２バスバ２２は、この第２係止壁部３２０ｑと第２係止爪３２ｚとにより挿入方向の移動が規制される。
【００３８】
以上のように、実施形態に係るバスバ保持構造１は、第１及び第２バスバ２１、２２と、筐体３０とを備える。実施形態に係る電気接続箱２は、さらに、第１及び第２バスバ２１、２２の第２接点部２１ｂ、２２ｂに接続されるヒューズ１０を備える。ワイヤハーネス３は、さらに、電気接続箱２に接続される配索材Ｗを備える。そして、バスバ保持構造１、電気接続箱２、及び、ワイヤハーネス３において、第１及び第２バスバ２１、２２は、導電性材料により板状に形成され、相手側コネクタ１００の端子に接続される第１接点部２１ａ、２２ａ及び第１接点部２１ａ、２２ａとは異なる第２接点部２１ｂ、２２ｂを有する。筐体３０は、第１接点部２１ａ、２２ａが露出し相手側コネクタ１００が嵌合される第１及び第２嵌合空間部３３、３４、及び、この第１及び第２嵌合空間部３３、３４とは前側壁部３２ｅを介して区画され、第２接点部２１ｂ、２２ｂを収容する収容空間部３５を有する。筐体３０は、さらに、第１及び第２挿入口３２ｍ、３２ｎと、第１及び第２貫通口３２ｐ、３２ｑと、第１及び第２支持面３２ｓ、３２ｔと、一対の第１上ガイド部３２０ｂ、３２０ｃ、３２０ｆ、３２０ｇとを有する。第１挿入口３２ｍは、収容空間部３５において前側壁部３２ｅとは反対側に設けられ第１バスバ２１が挿入される。第１貫通口３２ｐは、前側壁部３２ｅに設けられ、第１挿入口３２ｍに対向し、第１バスバ２１の第１接点部２１ａが貫通する。第１支持面３２ｓは、第１挿入口３２ｍと第１貫通口３２ｐとの間に設けられ、第１バスバ２１が第１挿入口３２ｍに挿入される挿入方向に沿って延在する。一対の第１上ガイド部３２０ｂ、３２０ｃは、挿入方向に沿って延在し、当該挿入方向に直交する幅方向において第１バスバ２１の両側に位置する。そして、一対の第１上ガイド部３２０ｂ、３２０ｃは、第１バスバ２１の厚み方向において第１支持面３２ｓに対向し、第１支持面３２ｓとの間で第２接点部２１ｂの幅方向の両側を厚み方向から挟む。筐体３０は、第２挿入口３２ｎ、第２貫通口３２ｑ、第２支持面３２ｔ、一対の第２上ガイド部３２０ｆ、３２０ｇについても、第１挿入口３２ｍ、第１貫通口３２ｐ、第１支持面３２ｓ、一対の第１上ガイド部３２０ｂ、３２０ｃと同等に構成される。
【００３９】
この構成により、バスバ保持構造１、電気接続箱２、及び、ワイヤハーネス３（以下、電気接続箱２等ともいう。）は、第１支持面３２ｓと一対の第１上ガイド部３２０ｂ、３２０ｃとにより第１バスバ２１の厚み方向の位置を規制することができる。この構成により、電気接続箱２等は、第１バスバ２１を第１挿入口３２ｍから第１貫通口３２ｐに向けて挿入する場合、第１バスバ２１の第１接点部２１ａが第１貫通口３２ｐ周辺の前側壁部３２ｅに突き当たることを抑制でき、第１バスバ２１の組み付け性を向上させることができる。また、電気接続箱２等は、第１バスバ２１の第１接点部２１ａが第１貫通口３２ｐに貫通された状態で、第１嵌合空間部３３において第１接点部２１ａの位置を適正な位置に定めることができる。この結果、電気接続箱２等は、第１バスバ２１の位置を適正に定めることができる。また、電気接続箱２等は、第２バスバ２２についても第１バスバ２１と同様に第２バスバ２２の位置を適正に定めることができる。
【００４０】
上記バスバ保持構造１において、第１上ガイド部３２０ｂ、３２０ｃは、第１挿入口３２ｍから第１貫通口３２ｐに向けて挿入方向に沿って挿入される第１バスバ２１の第２接点部２１ｂを第１支持面３２ｓとの間で挟み、且つ、第１接点部２１ａが第１貫通口３２ｐに貫通した状態で第２接点部２１ｂを第１支持面３２ｓとの間で挟む。同様に、第２上ガイド部３２０ｆ、３２０ｇは、第２挿入口３２ｎから第２貫通口３２ｑに向けて挿入方向に沿って挿入される第２バスバ２２の第２接点部２２ｂを第２支持面３２ｔとの間で挟み、且つ、第１接点部２２ａが第２貫通口３２ｑに貫通した状態で第２接点部２２ｂを第２支持面３２ｔとの間で挟む。
【００４１】
この構成により、バスバ保持構造１は、第１挿入口３２ｍから第１貫通口３２ｐに向けて第１バスバ２１を挿入するときに案内することができ、且つ、第１接点部２１ａが第１貫通口３２ｐに貫通した状態で第１バスバ２１を規定の位置に定めることができる。また、バスバ保持構造１は、第１バスバ２１と同様に第２バスバ２２を挿入時に案内できると共に挿入後に規定の位置に定めることができる。
【００４２】
上記バスバ保持構造１は、幅方向において互いに対向し第１バスバ２１の第２接点部２１ｂの幅方向の両側を幅方向から挟む一対の第１横ガイド部３２０ｄ、３２０ｅを有する。また、バスバ保持構造１は、幅方向において互いに対向し第２バスバ２２の第２接点部２２ｂの幅方向の両側を幅方向から挟む一対の第２横ガイド部３２０ｈ、３２０ｉを有する。この構成により、バスバ保持構造１は、一対の第１横ガイド部３２０ｄ、３２０ｅにより第１バスバ２１の幅方向の位置を規制することができ、一対の第２横ガイド部３２０ｈ、３２０ｉにより第２バスバ２２の幅方向の位置を規制することができる。
【００４３】
上記バスバ保持構造１において、第１バスバ２１は、第１ボルト５１が挿入される第１孔部２１ｃを第２接点部２１ｂに有する。筐体３０は、第１支持面３２ｓよりも窪んで形成され、第１接点部２１ａが第１貫通口３２ｐに貫通した状態において第１バスバ２１の第１孔部２１ｃと厚み方向に対向し、第１ナット４１を格納する第１凹部３２ｗを有する。第１バスバ２１は、第２孔部１４を有するヒューズ端子１１の第２孔部１４と当該第１バスバ２１の第１孔部２１ｃとが位置合わせされた状態で、厚み方向の第１凹部３２ｗとは反対側から第２孔部１４及び第１孔部２１ｃに挿入された第１ボルト５１が、第１凹部３２ｗに格納された第１ナット４１に締結されている。同様に、第２バスバ２２は、第２孔部１５を有するヒューズ端子１２の第２孔部１５と当該第２バスバ２２の第１孔部２２ｃとが位置合わせされた状態で、厚み方向の第２凹部３２ｘとは反対側から第２孔部１５及び第１孔部２２ｃに挿入された第２ボルト５２が、第２凹部３２ｘに格納された第２ナット４２に締結されている。この構成により、バスバ保持構造１は、例えば、第１ボルト５１と第１ナット４１を締結するとき、第１上ガイド部３２０ｂ、３２０ｃにより第１バスバ２１の位置が規制されているので、第１ナット４１に傾きが生じても第１バスバ２１のアライメントに影響がでることを抑制できる。同様に、バスバ保持構造１は、第２上ガイド部３２０ｆ、３２０ｇにより、第２ナット４２に傾きが生じても第２バスバ２２のアライメントに影響がでることを抑制できる。
【００４４】
上記バスバ保持構造１において、第１ナット４１は、第１ボルト５１に締結される前の状態において、第１ナット４１の厚み方向の第１バスバ２１側の端部が第１支持面３２ｓよりも第１凹部３２ｗの底面側に位置する。同様に、第２ナット４２は、第２ボルト５２に締結される前の状態において、第２ナット４２の厚み方向の第２バスバ２２側の端部が第２支持面３２ｔよりも第２凹部３２ｘの底面側に位置する。この構成により、バスバ保持構造１は、第１バスバ２１を第１挿入口３２ｍから第１貫通口３２ｐに向けて挿入する場合、第１バスバ２１の第１接点部２１ａが第１ナット４１に接触又は追突することを抑制することができる。この抑制により、バスバ保持構造１は、第１接点部２１ａが損傷することを抑制することができ、第１バスバ２１の品質を維持することができる。また、バスバ保持構造１は、第２バスバ２２についても同様に、第１接点部２２ａが第２ナット４２に接触又は追突することを抑制することができる。
【００４５】
〔変形例〕
次に、図７及び図８を参照して、実施形態の変形例に係るバスバ保持構造１Ａについて説明する。なお、当該変形例では、実施形態と同等の構成要素には同じ符号を付し、その詳細な説明を省略する。変形例に係るバスバ保持構造１Ａは、一対の第１ガイド部３２０ｓ、３２０ｔにより第１バスバ２１の厚み方向における位置を定める点で実施形態のバスバ保持構造１と異なる。第１バスバ２１は、第１ボルト５１が挿入される第１孔部２１ｃを第２接点部２１ｂに有する。第１凹部３２ｗは、第１支持面３２ｓよりも窪んで形成され、第１ナット４１を格納する。第１凹部３２ｗは、第１バスバ２１の第１接点部２１ａが第１貫通口３２ｐに貫通した状態において、第１バスバ２１の第１孔部２１ｃと厚み方向に対向する。
【００４６】
各第１上ガイド部３２０ｓ、３２０ｔは、厚み方向から第１バスバ２１を案内する部分である。各第１上ガイド部３２０ｓ、３２０ｔは、長尺且つ板状に形成され、挿入方向に沿って延在し、厚み方向において第１支持面３２ｓに対向する。各第１上ガイド部３２０ｓ、３２０ｔは、幅方向に沿って所定の間隔を有して並んで設けられている。第１上ガイド部３２０ｓと第１上ガイド部３２０ｔとの幅方向の間隔は、第１バスバ２１の幅方向の長さ（幅長）よりも短い。各第１ガイド部３２０ｓ、３２０ｔは、図７に示すように、第１ボルト５１及び第１ナット４１が非締結状態で、厚み方向において第１バスバ２１との間に隙間Ｐが設けられる。各第１上ガイド部３２０ｓ、３２０ｔは、第１支持面３２ｓとの間で第２接点部２１ｂの両側を厚み方向から挟む。
【００４７】
第１バスバ２１は、図８に示すように、第１孔部２１ｃに挿入された第１ボルト５１と第１ナット４１とが締結された締結状態で、第１ナット４１と共に第１ボルト５１側に引き上げられ、各第１ガイド部３２０ｓ、３２０ｔの内側に当接して位置決めされる。
【００４８】
以上のように、変形例に係るバスバ保持構造１Ａにおいて、第１バスバ２１は、第１ボルト５１が挿入される第１孔部２１ｃを第２接点部２１ｂに有する。筐体３０は、第１凹部３２ｗを有する。第１凹部３２ｗは、第１支持面３２ｓよりも窪んで形成され、第１接点部２１ａが第１貫通口３２ｐに貫通した状態において、第１バスバ２１の第１孔部２１ｃと厚み方向に対向し、第１ナット４１を格納する。一対の第１ガイド部３２０ｓ、３２０ｔは、第１ボルト５１及び第１ナット４１が非締結状態で厚み方向において第１バスバ２１との間に隙間Ｐが設けられる。第１バスバ２１は、第１孔部２１ｃに挿入された第１ボルト５１と第１ナット４１とが締結状態で第１ナット４１と共に第１ボルト５１側に引き上げられ、一対の第１ガイド部３２０ｓ、３２０ｔの内側に当接して位置決めされる。この構成により、バスバ保持構造１Ａは、第１ボルト５１及び第１ナット４１が締結された状態で、一対の第１ガイド部３２０ｓ、３２０ｔにより第１バスバ２１の厚み方向の位置を一定に定めることができる。
【００４９】
なお、電気接続箱２は、ヒューズボックスである例について説明したが、これに限定されず、ジャンクションボックス、リレーボックス等にも適用することができる。
【符号の説明】
【００５０】
１  バスバ保持構造
２  電気接続箱
３  ワイヤハーネス
１０  ヒューズ（電子部品）
１１、１２  ヒューズ端子（相手側端子）
１４、１５  第２孔部
２１  第１バスバ（バスバ）
２１ａ、２２ａ  第１接点部
２１ｂ、２２ｂ  第２接点部
２１ｃ、２２ｃ  第１孔部
２２  第２バスバ（バスバ）
３０  筐体
３２ｅ  前側壁部（壁部）
３２ｍ  第１挿入口（挿入口）
３２ｎ  第２挿入口（挿入口）
３２ｐ  第１貫通口（貫通口）
３２ｑ  第２貫通口（貫通口）
３２ｓ  第１支持面（支持面）
３２ｔ  第２支持面（支持面）
３２ｗ  第１凹部（凹部）
３２ｘ  第２凹部（凹部）
３３  第１嵌合空間部（嵌合空間部）
３４  第２嵌合空間部（嵌合空間部）
３５  収容空間部
３２０ｂ、３２０ｃ  一対の第１上ガイド部（一対の第１ガイド部）
３２０ｓ、３２０ｔ  一対の第１上ガイド部（一対の第１ガイド部）
３２０ｄ、３２０ｅ  一対の第１横ガイド部（一対の第２ガイド部）
３２０ｆ、３２０ｇ  一対の第２上ガイド部（一対の第１ガイド部）
３２０ｈ、３２０ｉ  一対の第２横ガイド部（一対の第２ガイド部）
４１  第１ナット（ナット）
４２  第２ナット（ナット）
５１  第１ボルト（ボルト）
５２  第２ボルト（ボルト）
１００  相手側コネクタ
Ｗ  配索材
【図１】
2020005328.tif 000003
【図２】
2020005328.tif 000004
【図３】
2020005328.tif 000005
【図４】
2020005328.tif 000006
【図５】
2020005328.tif 000007
【図６】
2020005328.tif 000008
【図７】
2020005328.tif 000009
【図８】
2020005328.tif 000010